(57)【要約】【課題】表示に高級感を持たせつつ、操作ミスが発生することを抑制することができる表示装置および表示方法を提供すること。【解決手段】移動体に設けられる表示装置１は、速度の情報および総走行距離等の情報を表示する表示部２と、表示部２の所定領域を囲うように表示部２の前面側設けられ、操作を受けつける枠部材３ａと、枠部材３ａに対する操作を取得し、取得した操作に応じて表示部２の表示の切替えを制御する制御部４と、を備える。【選択図】図１
2016147529.tif 000002
【特許請求の範囲】
【請求項１】
移動体に設けられる表示装置であって、
表示部と、
前記表示部の所定領域を囲うように設けられ、操作を受けつける枠部材と、
前記枠部材に対する操作に応じて前記表示部の表示の切替えを制御する制御部と、
を備える表示装置。
【請求項２】
前記枠部材は、環状の部材であり、
前記操作は、回転操作である、
請求項１に記載の表示装置。
【請求項３】
前記操作は、押圧操作である、
請求項１に記載の表示装置。
【請求項４】
前記操作は、タッチ操作である、
請求項１に記載の表示装置。
【請求項５】
前記枠部材は、前記表示部における前記移動体の速度を表示する略円形のメータ領域を囲うように設けられ、
前記制御部は、前記操作に応じて前記速度の表示から該速度の表示とは異なる表示への前記表示部の表示の切替えを制御する、
請求項１に記載の表示装置。
【請求項６】
前記制御部は、前記操作に応じて前記表示部の表示の明るさの切替えを制御する、
請求項１に記載の表示装置。
【請求項７】
移動体に設けられ、表示部と、前記表示部の所定領域を囲うように設けられる枠部材と、を備える表示装置における表示方法であって、
前記枠部材に対する操作を受けつけるステップと、
前記操作に応じて前記表示部の表示を切替えるステップと、
を含む表示方法。
【発明の詳細な説明】
【技術分野】
【０００１】
本発明は、移動体に設けられる表示装置および表示方法に関する。
【背景技術】
【０００２】
車両等の移動体には、運転席の前面に、移動体の速度を示す速度計やエンジンの回転数を示す回転速度計（タコメータ）などの画像を表示させる液晶表示装置が設けられたものがある。
【０００３】
このような従来の液晶表示装置では、速度計や回転速度計などの画像の表示が平面的なものとなるため、立体感に乏しく、高級感に欠けるものとなっている。
【０００４】
これを改善するために、例えば、特許文献１には、液晶パネルの前面側に装飾部材であるトリムリングを配置するとともに、トリムリングをその前面側からの照射光により照明して立体的に視認させる表示装置が開示されている。
【先行技術文献】
【特許文献】
【０００５】
【特許文献１】特開２００６−１５３７５０号公報
【発明の概要】
【発明が解決しようとする課題】
【０００６】
しかしながら、従来の液晶表示装置では、液晶パネルを、ハンドルなどの別の位置に設けられる操作ボタンによって操作しなければならないため、液晶パネルの操作を直感的に行うことができず、操作ミスが生じる可能性がある。
【０００７】
本発明は、このような課題を解決するためになされたものであり、高級感を持たせつつ、操作ミスが発生することを抑制することができる表示装置および表示方法を提供することを目的とする。
【課題を解決するための手段】
【０００８】
本発明の表示装置は、移動体に設けられる表示装置であって、表示部と、表示部の所定領域を囲うように設けられ、操作を受けつける枠部材と、枠部材に対する操作に応じて表示部の表示の切替えを制御する制御部と、を備える。
【０００９】
本発明の表示方法は、移動体に設けられ、表示部と、前記表示部の所定領域を囲うように設けられる枠部材と、を備える表示装置における表示方法であって、枠部材に対する操作を受けつけるステップと、操作に応じて表示部の表示を切替えるステップと、を含む。
【発明の効果】
【００１０】
本発明によれば、高級感を持たせつつ、操作ミスが発生することを抑制することができる。
【図面の簡単な説明】
【００１１】
【図１】本発明の実施の形態に係る表示装置の構成を示すブロック図
【図２】本発明の実施の形態に係る表示装置の表示部における表示例を示す図
【図３】本発明の実施の形態に係る機構部の分解斜視図
【図４】本発明の実施の形態に係る機構部の組み立て後の構成を示す図
【図５】本発明の実施の形態における機構部の要部構成を示す断面図
【図６】内リングの構成の一例を示す図
【図７】スプリングおよびノックピンの構成の一例を示す斜視図
【図８】センサの構成の一例を示す斜視図
【発明を実施するための形態】
【００１２】
以下、本発明の実施の形態について、図面を参照して詳細に説明する。なお、以下に説明する各実施の形態は一例であり、本発明はこれらの実施の形態により限定されるものではない。
【００１３】
図１は、本発明の実施の形態に係る表示装置１の構成を示すブロック図である。表示装置１は、車両等の移動体における運転席の前面に設けられ、運転者に速度等の情報を表示する装置である。以下では、表示装置１が車両に設けられた場合について説明する。図１に示すように、表示装置１は、表示部２と、機構部３と、制御部４を有する。
【００１４】
表示部２は、例えば、液晶パネルであり、略円形のメータ領域２ａ（後に説明する図２参照）を含み、速度の情報および総走行距離等の情報を表示する。
【００１５】
機構部３は、表示部２の所定領域を囲うように設けられた部材の回転操作を受けつける。機構部３は、枠部材３ａやセンサ３ｂなどを有する。
【００１６】
枠部材３ａは、表示部２の前面側、つまり、表示部２よりも運転席に近い側に設けられ、表示部２を保護するとともに、デザイン性を向上させる目的で設けられる部材である。枠部材３ａは、表示部２のメータ領域２ａの外周を囲うように設けられた環状の部材であり、運転者などによる回転操作を受けつける。
【００１７】
センサ３ｂは、枠部材３ａに対する回転操作を検知し、検知した回転操作の情報を制御部４に出力する。なお、機構部３の具体的な構成については、後述する。
【００１８】
制御部４は、枠部材３ａに対する回転操作に応じて表示部２の表示を切替える。例えば、制御部４は、ＬＳＩ回路、または、車両を制御する電子制御ユニット（Ｅｌｅｃｔｒｏｎｉｃ  Ｃｏｎｔｒｏｌ  Ｕｎｉｔ：ＥＣＵ）の一部として実現可能である。制御部４は、取得部４ａと、表示切替部４ｂと、を有する。
【００１９】
取得部４ａは、センサ３ｂが検知した回転操作の情報を取得し、取得した回転操作の情報を表示切替部４ｂに出力する。
【００２０】
表示切替部４ｂは、取得部４ａから受け取る回転操作の情報に基づき、その回転操作に応じて、表示部２の表示の切替えを制御する。
【００２１】
本実施の形態では、表示切替部４ｂは、回転操作に応じて、ノーマルメータ、エコメータ、および、スピードメータの３種類の表示を切替える。
【００２２】
ここで、表示切替部４ｂが切替える表示の例について説明する。図２は、本実施の形態に係る表示装置１の表示部２における表示例を示す図である。
【００２３】
図２に示すように、表示部２のメータ領域２ａには、ノーマルメータ、エコメータ、および、スピードメータのいずれか１つが表示される。
【００２４】
ノーマルメータには、車両の速度、現在のギアポジション、および、車両の移動方向のナビゲーション表示などが表示される。また、エコメータには、車両の燃費に関する情報などが表示される。スポーツメータには、車両が有するエンジンまたモータの回転速度などが表示される。
【００２５】
取得部４ａは、枠部材３ａにおける基準位置Ｐの回転角度を検知し、検知した回転角度の情報を表示切替部４ｂに出力する。
【００２６】
表示切替部４ｂは、基準位置Ｐの回転角度がθ０の場合、メータ領域２ａにノーマルメータを表示させる。表示切替部４ｂは、基準位置Ｐの回転角度がθ１の場合、メータ領域２ａにエコメータを表示させる。表示切替部４ｂは、基準位置Ｐの回転角度がθ２の場合、メータ領域２ａにエコメータを表示させる。
【００２７】
このような構成により、運転者は、メータ領域の外周を囲うように設けられる枠部材３ａを直感的に操作して表示を切替えることができ、操作ミスが発生することを抑制することができる。
【００２８】
次に、機構部３の構成について説明する。図３は、本実施の形態に係る機構部３の分解斜視図である。図４は、本実施の形態に係る機構部３の組み立て後の構成を示す図である。図４（ａ）は、機構部３の正面図であり、図４（ｂ）は、機構部３の斜視図である。
【００２９】
図３に示すように、機構部３は、枠部材３ａ、センサ３ｂ、ハウジング３ｃ、保護プレート３ｄ、スプリングプレート３ｅ、スプリング３ｆ、ノックピン３ｇを有する。
【００３０】
ハウジング３ｃは、ＡＢＳ樹脂等で構成され、機構部３の外周を構成する部材と枠部材３ａを嵌め込む部材を有する。ハウジング３ｃは、外周を構成する部材の内側に保護プレート３ｄを固定する。ハウジング３ｃは、枠部材３ａを回転可能に支持する。また、ハウジング３ｃの一部には、凹部が設けられ、センサ３ｂ、スプリングプレート３ｅ、ノックピン３ｇ、および、スプリング３ｆを固定する。
【００３１】
保護プレート３ｄは、透明なアクリル樹脂等で構成される平板状のプレートであり、ハウジング３ｃに固定される。保護プレート３ｄは、表示部２を保護する役割を持つ。
【００３２】
スプリングプレート３ｅ、スプリング３ｆ、および、ノックピン３ｇは、枠部材３ａの位置決めを行う部材である。スプリングプレート３ｅ、スプリング３ｆ、および、ノックピン３ｇの構成については後述する。
【００３３】
枠部材３ａは、外リング３ｈと内リング３ｉを有し、ハウジング３ｃに回転可能に支持される。内リング３ｉは、ポリカーボネート（ＰＣ）等のプラスチックで構成され、内側に位置決めを行うための複数の溝を有する。外リング３ｈは、ポリアセタール（ＰＯＭ）等の樹脂で構成され、内側に複数の爪を有する。内リング３ｉは、外リング３ｈの爪に固定され、一体的に回転する。
【００３４】
ここで、機構部３の構成について断面図を用いて説明する。図５は、実施の形態における機構部３の要部構成を示す断面図である。図５（ｂ）は、図４（ａ）のＡ−Ａ線における断面を示す図であり、図５（ａ）は、図４（ａ）のＢ−Ｂ線における断面を示す図である。
【００３５】
図５（ａ）および図５（ｂ）に示すように、内リング３ｉは、外リング３ｈの内側に複数の爪３ｊで固定される。
【００３６】
また、図５（ｂ）に示すように、センサ３ｂは、プリント基板３ｋとプリント基板３ｋ上に設けられる検出スイッチ３ｌを有する。検出スイッチ３ｌは、内リング３ｉと接し、内リング３ｉの内側に所定の角度毎に設けられた位置決め用の複数の溝によりストローク方向に沿って移動して、内リング３ｉの回転角度を検出する。
【００３７】
スプリングプレート３ｅは、図示しない外部の固定部材に固定される。ノックピン３ｇは、水平方向に移動可能にハウジング３ｃに嵌合され、一端が内リング３ｉに接し、他端がスプリング３ｆと接する。スプリング３ｆは、スプリングプレート３ｅとノックピン３ｇの間に設けられ、弾性力によってノックピン３ｇを内リング３ｉの方向へ押しつける。
【００３８】
ここで、機構部３が有する内リング３ｉの構成について説明する。図６は、内リング３ｉの構成の一例を示す図である。図６に示すように、内リング３ｉは、ノックピン３ｇに接する側に、所定の角度毎に設けられた位置決め用の複数の溝を有する。図６では、１５°毎に設けられた溝を示している。そして、図５（ｂ）に示すように、内リング３ｉの溝とノックピン３ｇが接することによって、枠部材３ａの位置決めが可能となる。
【００３９】
次に、スプリング３ｆおよびノックピン３ｇの構成について図示する。図７は、スプリング３ｆおよびノックピン３ｇの構成の一例を示す斜視図である。
【００４０】
図７に示すように、ノックピン３ｇは、その一端がスプリング３ｆの中空部に挿入され、図５（ｂ）に示したように、その他端は内リング３ｉに接する。また、ノックピン３ｇが挿入されていないスプリング３ｆの端部は、スプリングプレート３ｅに接する。この構成により、ノックピン３ｇは、内リング３ｉに押しつけられ、内リング３ｉの位置決めを行うことができる。
【００４１】
次に、センサ３ｂの構成について図示する。図８は、センサ３ｂの構成の一例を示す斜視図である。図８に示すように、センサ３ｂは、プリント基板３ｋとプリント基板３ｋ上に設けられる検出スイッチ３ｌを有する。前述のように、検出スイッチ３ｌの端部は、内リング３ｉの溝に接し、回転角度の検出を行う。プリント基板３ｋは、制御部４と接続し、回転角度の検出結果を制御部４に出力する。
【００４２】
上記で説明した実施の形態によれば、枠部材３ａを設けることにより、表示装置１に高級感を持たせることができる。また、メータ領域の外周を囲うように設けられる枠部材３ａを直感的に操作して表示を切替えることができ、操作ミスが発生することを抑制することができる。
【００４３】
なお、上記で説明した実施の形態では、ノーマルメータ、エコメータ、および、スピードメータの３つの表示を切替える場合について説明したが、切替える表示の数、および、表示する情報の種類は限定されない。切替えられる表示の数は、２つであってもよいし、４つ以上であってもよい。
【００４４】
また、上記で説明した実施の形態では、制御部４が、枠部材３ａに対する回転操作に応じて、表示部２の表示内容の切替えを制御する場合について説明したが、本発明はこれに限定されない。例えば、制御部４は、枠部材３ａに対する回転操作に応じて、表示部２の表示の明るさの切り替えを制御してもよい。
【００４５】
また、上記で説明した実施の形態では、枠部材３ａが回転操作を受けつける場合について説明したが、本発明はこれに限定されない。例えば、枠部材３ａに対する押圧操作を検出するセンサを機構部３に設け、制御部４が、押圧操作に応じて表示の切替えを制御してもよい。あるいは、枠部材３ａに対するタッチ操作を検出するセンサを機構部３に設け、制御部４が、タッチ操作に応じて表示の切替えを制御してもよい。
【産業上の利用可能性】
【００４６】
本発明に係る表示装置および表示方法は、移動体に設けられる表示装置に適用するのに好適である。
【符号の説明】
【００４７】
１  表示装置
２  表示部
３  機構部
３ａ  枠部材
３ｂ  センサ
３ｃ  ハウジング
３ｄ  保護プレート
３ｅ  スプリングプレート
３ｆ  スプリング
３ｇ  ノックピン
３ｈ  外リング
３ｉ  内リング
３ｊ  爪
３ｋ  プリント基板
３ｌ  検出スイッチ
４  制御部
４ａ  取得部
４ｂ  表示切替部
【図１】
2016147529.tif 000003
【図２】
2016147529.tif 000004
【図３】
2016147529.tif 000005
【図４】
2016147529.tif 000006
【図５】
2016147529.tif 000007
【図６】
2016147529.tif 000008
【図７】
2016147529.tif 000009
【図８】
2016147529.tif 000010